(57)【特許請求の範囲】
【請求項１】
前輪を有する前脚及び後輪有する後脚が装着された座ベースと、
この座ベースに対して垂直軸線周りに回動・固定可能に装着されたベビーシートと、
上記ベビーシートに前後に揺動可能に設けられたハンドルと、
上記ハンドルの揺動によって上記座ベースと上記ベビーシートとの回動状態と固定状態との切り換えを行うロック部と、
を備えたことを特徴とする、背面対面切換可能なベビーカー。
【請求項２】
上記ロック部は、上記座ベースに設けられた係合部に係合することにより上記座ベースに対する上記ベビーシートのロックを行う座ロックプレートを有し、上記ハンドルを揺動して直立状態にすると、上記座ロックプレートと上記係合部との係合が解除されることを特徴とする、請求項１記載の背面対面切換可能なベビーカー。
【請求項３】
前輪を有する前脚及び後輪有する後脚が装着された座ベースに対して、ベビーシートの座板部が垂直軸線周りに回動・固定可能に装着されており、
ベビーシートの座板部から突出されたメインロックピンを中心として前後に揺動可能なハンドルが設けられており、上記ハンドルを上記メインロックピンを中心として揺動して直立状態にすることにより上記座板部のロックが解除され、上記ハンドルを使用して上記座ベースに対する上記座板部の回動が可能となることを特徴とする、背面対面切換可能なベビーカー。
【請求項４】
上記座ベースに設けられた係合部に係合することにより上記座ベースに対する上記座板部のロックを行う座ロックプレートが設けられており、上記ハンドルを上記メインロックピンを中心として揺動して直立状態にすると、上記座ロックプレートと上記係合部との係合が解除されることを特徴とする、請求項３記載の背面対面切換可能なベビーカー。
【請求項５】
上記ハンドルには、当該ハンドルが直立状態に揺動されたときに上記座ロックプレートに当接してこの座ロックプレートを上記係合部から離脱させるガイドピンが設けられていることを特徴とする、請求項２または４記載の背面対面切換可能なベビーカー。
【請求項６】
上記ハンドルにはその軸線方向に摺動可能なチェンジフックが設けられており、前記ベビーシートに設けられたアームレストの外側面には、ベビーシートが背面状態の時或いは対面状態の時に上記ハンドルのチェンジフックが選択的に係合される係止突起が前後に設けられていることを特徴とする、請求項１乃至５のいずれかに記載の背面対面切換可能なベビーカー。
【請求項７】
上記座ロックプレートは第１の座ロックプレートおよび第２の座ロックプレートからなり、前記ベビーシートにおける両側壁には、それぞれベビーシートが背面状態の時に上記座ベースに設けられた上記係合部に係合する第１の座ロックプレートと、対面状態の時に上記座ベースに設けられた上記係合部に係合する第２の座ロックプレートとが前後に互いに並行に設けられており、第１の座ロックプレートの上部には背面状態からハンドルを直立状態に揺動させたとき上記ガイドピンが当接する傾斜案内面が形成され、第２の座ロックプレートの上部には対面状態からハンドルを直立状態に揺動させたとき上記ガイドピンが当接する傾斜案内面が形成されていることを特徴とする、請求項５記載の背面対面切換可能なベビーカー。
【請求項８】
上記ハンドルにはその軸線方向に摺動可能なチェンジフックが設けられており、前記ベビーシートに設けられたアームレストの外側面には、ベビーシートが背面状態の時或いは対面状態の時に上記ハンドルのチェンジフックが選択的に係合される係止突起が前後に設けられており、
ハンドルの先端部にハンドルの軸線方向に摺動可能に装着され、上記メインロックピン及び後脚に枢着されたブラケットから突設されたサブロックピンに選択的に係合するアームストッパーと、前記座ベースに一端部が枢着され、上記サブロックピンに係合し上記ブラケットを上記座ベースにロックするロックプレートと、前記ベビーシートの座板部における両側壁の前部及び後部に設けられたガイドであって、上記アームストッパーから突出されたピンが上記ガイドに当接することにより上記アームストッパーの下方或いは上方の移動がガイドされ、上記ガイドにより上記アームストッパーの下方の移動がガイドされたときに上記ロックプレートとサブロックピンとのロック解除が行われ、上記ガイドにより上記アームストッパーの上方の移動がガイドされたときに上記アームストッパーとサブロックピンとの係合解除が行われるガイドとを有することを特徴とする、請求項３記載の背面対面切換可能なベビーカー。
【発明の詳細な説明】
【技術分野】
【０００１】
本発明は、ベビーシートを背面状態或いは対面状態に切換可能なベビーカーに関する。
【背景技術】
【０００２】
一般に、乳幼児を散歩や買物等のために屋外に連れ出す場合に使用するベビーカーにおいては、乳幼児の背面からの手押し状態とする背面状態としたり、使用者が乳幼児と対面した状態とした対面状態とするものが提案されている。すなわち、ベビーカーのハンドルをベビーカー本体の前後方向に揺動させることによりハンドルをベビーカー本体の後部或いは前部に自由に移動させ、乳幼児の背面からの手押し状態としたり乳幼児と対面した手押し状態としたりするもの（特開２００２−３１６６５０号公報参照）、或いは乳幼児が乗るベビーシート自体をベビーカー本体に対して着脱自在として、そのベビーシートを対面状態或いは背面状態に選択的に変更し得るようにしたものが提案されている。
【特許文献１】特開２００２−３１６６５０号公報
【発明の開示】
【発明が解決しようとする課題】
【０００３】
上述のように乳幼児の背面からの手押し状態のものを対面した手押し状態とした場合には、方向変換用車輪がベビーカーの進行方向に対して後方に位置することになり、走行がスムーズに行えなくなる場合がある等の問題がある。そこで、前輪及び後輪をともに方向変換用車輪とした場合には、上記背面・対面切換の都度、方向変換用車輪を操作する必要がある。一方、ベビーシート自体をベビーカー本体に対して着脱自在として、そのベビーシートを対面状態或いは背面状態に選択的に変更し得るようにしたものにおいては、乳幼児を寝かせた状態で方向を変えようとする場合に、ベビーシートを乳幼児とともに持ち上げる必要があり、安全性の確認が絶対必要となり、また力のない女性にとってはかなりの負担となる等の問題がある。この背面、対面仕様の変更が日常的に行われることを考慮すれば尚更である。
【０００４】
本発明は、このような点に鑑み、ベビーシートに乳幼児が寝ている状態においてもベビーシートを対面状態或いは背面状態に極めて容易に切換え得るようにしたベビーカーを得ることを目的とする。
【課題を解決するための手段】
【０００５】
本発明は、前輪を有する前脚及び後輪有する後脚が装着された座ベースと、この座ベースに対して垂直軸線周りに回動・固定可能に装着されたベビーシートと、上記ベビーシートに前後に揺動可能に設けられたハンドルと、上記ハンドルの揺動によって上記座ベースと上記ベビーシートとの回動状態と固定状態との切り換えを行うロック部と、を備えたことを特徴とする、背面対面切換可能なベビーカーである。
このような背面対面切換可能なベビーカーにおいて、上記ロック部は、上記座ベースに設けられた係合部に係合することにより上記座ベースに対する上記ベビーシートのロックを行う座ロックプレートを有し、上記ハンドルを揺動して直立状態にすると、上記座ロックプレートと上記係合部との係合が解除されるようになっていてもよい。
【０００６】
また、本発明は、前輪を有する前脚及び後輪有する後脚が装着された座ベースに対して、ベビーシートの座板部が垂直軸線周りに回動・固定可能に装着されており、
ベビーシートの座板部から突出されたメインロックピンを中心として前後に揺動可能なハンドルが設けられており、上記ハンドルを上記メインロックピンを中心として揺動して直立状態にすることにより上記座板部のロックが解除され、上記ハンドルを使用して上記座ベースに対する上記座板部の回動が可能となることを特徴とする、背面対面切換可能なベビーカーである。
このような背面対面切換可能なベビーカーにおいて、上記座ベースに設けられた係合部に係合することにより上記座ベースに対する上記座板部のロックを行う座ロックプレートが設けられており、上記ハンドルを上記メインロックピンを中心として揺動して直立状態にすると、上記座ロックプレートと上記係合部との係合が解除されるようになっていてもよい。
また、上述のような背面対面切換可能なベビーカーにおいて、上記ハンドルには、当該ハンドルが直立状態に揺動されたときに上記座ロックプレートに当接してこの座ロックプレートを上記係合部から離脱させるガイドピンが設けられていてもよい。
【００１１】
本発明の背面対面切換可能なベビーカーにおいて、上記ハンドルにはその軸線方向に摺動可能なチェンジフックが設けられており、前記ベビーシートに設けられたアームレストの外側面には、ベビーシートが背面状態の時或いは対面状態の時に上記ハンドルのチェンジフックが選択的に係合される係止突起が前後に設けられていてもよい。
【００１２】
本発明の背面対面切換可能なベビーカーにおいて、上記座ロックプレートは第１の座ロックプレートおよび第２の座ロックプレートからなり、前記ベビーシートにおける両側壁には、それぞれベビーシートが背面状態の時に上記座ベースに設けられた上記係合部に係合する第１の座ロックプレートと、対面状態の時に上記座ベースに設けられた上記係合部に係合する第２の座ロックプレートとが前後に互いに並行に設けられており、第１の座ロックプレートの上部には背面状態からハンドルを直立状態に揺動させたとき上記ガイドピンが当接する傾斜案内面が形成され、第２の座ロックプレートの上部には対面状態からハンドルを直立状態に揺動させたとき上記ガイドピンが当接する傾斜案内面が形成されていてもよい。
【００１３】
本発明の背面対面切換可能なベビーカーにおいて、上記ハンドルにはその軸線方向に摺動可能なチェンジフックが設けられており、前記ベビーシートに設けられたアームレストの外側面には、ベビーシートが背面状態の時或いは対面状態の時に上記ハンドルのチェンジフックが選択的に係合される係止突起が前後に設けられており、ハンドルの先端部にハンドルの軸線方向に摺動可能に装着され、上記メインロックピン及び後脚に枢着されたブラケットから突設されたサブロックピンに選択的に係合するアームストッパーと、前記座ベースに一端部が枢着され、上記サブロックピンに係合し上記ブラケットを上記座ベースにロックするロックプレートと、前記ベビーシートの座板部における両側壁の前部及び後部に設けられたガイドであって、上記アームストッパーから突出されたピンが上記ガイドに当接することにより上記アームストッパーの下方或いは上方の移動がガイドされ、上記ガイドにより上記アームストッパーの下方の移動がガイドされたときに上記ロックプレートとサブロックピンとのロック解除が行われ、上記ガイドにより上記アームストッパーの上方の移動がガイドされたときに上記アームストッパーとサブロックピンとの係合解除が行われるガイドとを有していてもよい。
【発明の効果】
【００１４】
以上説明したように、本発明は、前輪を有する前脚及び後輪有する後脚が装着された座ベースに対して、ベビーシートの座板部を垂直軸線周りに回動・固定可能に装着したので、ベビーシートに乳幼児が寝ている状態等においても極めて容易にベビーシートの背面・対面仕様への切換を行うことができる。
【発明を実施するための最良の形態】
【００１５】
以下、添付図面を参照して本発明の実施の形態について説明する。  
図１は本発明のベビーカーの第１の実施の形態を示す側面図であって、前輪１１を有する左右一対の前脚１２、及び後輪１３を有する左右一対の後脚１４の上端がそれぞれ座ベース１５に枢着されている。左右の前脚１２及び左右の後脚１４はそれぞれ図示しない前側連結バー及び後側連結バーによって連結されている。
【００１６】
一方、前記座ベース１５の後端部には板状のアームジョイント１６の後端部が軸１７（図２）により枢着されており、そのアームジョイント１６の先端側にはほぼＵ字状に屈曲されたハンドル１８の先端が軸１９により枢着されている。上記アームジョイント１６には、各前脚１２の中間部に枢着された連結バー２０の後端、及び後脚１４に下端部が枢着されたブラケット２１の中間部が上記軸１９により枢着されている。上記ブラケット２１における軸１９側先端部には後脚１４を上記アームジョイント１６にロックするロック部材（図示せず）と係合する切り欠き段部２１ａが設けられている。上記ロック部材はアームジョイント１６に摺動可能に装着されており、ハンドル１８に設けられた遠隔操作装置によって摺動操作されるようにしてある。また、ベビーカーが図１に示すような展開状態時には上記アームジョイント１６の先端部が後脚１４に当接し、その展開状態を保持するようにしてある。
【００１７】
上記アームジョイント１６には前述のようにハンドル１８が軸１９を中心として揺動可能としてあるが、そのアームジョイント１６には上記ハンドル１８を所定の操作位置に保持する係止突起２５が設けられており、ハンドル１８には上記係止突起２５に係合するチェンジフック２６がそのハンドルに沿って摺動可能に装着されている。上記チェンジフック２６はスプリングを介して下方に付勢されており、前記遠隔操作装置により上記スプリングに抗して上方に移動させることにより、上記係止突起２５との係合を解放できるようにしてある。また、上記アームジョイント１６にはハンドル１８を下方へ揺動させたとき、そのハンドル１８の所定角度以上の揺動を規制するストッパ部２７が形成されている。
【００１８】
ところで、上記座ベース１５にはベビーシート３０が垂直軸線廻りに回動可能に装着してある。すなわち、上記座ベース１５には円筒状の開口部３１が形成され、一方、ベビーシート３０の座板部３２の下面側には上記座ベース１５の円筒状の開口部３１と同心状の断面円形状の突起部３３が下方に突出形成されており、上記開口部３０内に上記ベビーシート３０の座板部３２の下面側から突出されている断面円形状の突起部３３が回動可能に挿入支持されている。上記座ベース１５の開口部３１の開口上縁部には周方向に延びる段部１５ａが設けられており、その段部１５ａと前記突起部３３の外周に形成されたフランジ３３ａとの間にボール３４が介装され、さらに上記突起部３３の下面に前記座ベース１５と係合して上記突起部３３の抜け出しを防止する抜け出し防止リング３５が固着されており、上記突起部３３とともにベビーシート３０が上記ボール３４を介して上記開口部３１の軸線周りに回動可能としてある。
【００１９】
座ベース１５には、図２及び図４に示すように、その前面側に座レバー３７が前記突起部３３方向に摺動可能に取り付けられており、上記座レバー３７はばね３８により前記座板部３２に設けられている突起部３３方向に付勢されている。一方、上記突起部３３にはベビーシート３０が対面状態時及び背面状態時に上記係止部材３７が挿入係合される係合穴３９が形成されている。
【００２０】
しかして、図１に示すようにベビーシート３０に乗っている乳幼児の背面からの手押し状態から対面状態に切り換える場合には、ハンドルに設けられている遠隔操作装置によりチェンジフック２６をハンドル１８に沿って上方に引き上げ、上記チェンジフック２６を係止突起２５から離脱させ、ハンドル１８を図２に示すように上記ハンドル１８がストッパ部２７に当接するまで下方に回動させる。  そこで、座レバー３７をばね３８に抗して引き出すことにより、上記座レバー３７と前記座板部３２に設けられている突起部３３の係合穴３９との係合が解除され、すなわちベビーシート３０の回転ロックが解除される。したがって、上記ベビーシート３０を座ベース１５に対して１８０度回転させ、その状態において座レバー３７を上記突起部３３の係合穴３９係合させることにより、ベビーシート３０を対面状態に切り換え固定する。その後、ハンドル１８を上方に回動させチェンジフック２６を係止突起２５に係合させることにより、対面状態での使用が可能な態とすることができる。この場合、前述のようにハンドル１８が図２に示すように下方に揺動させられているので、上記ハンドル１８がベビーシート３０の回転に邪魔となることがない。
【００２１】
一方、上記対面状態から背面状態に切り換える場合には、前述と同様にハンドル１８を下方に回動した後、ベビーシート３０を１８０度回転させ、さらにハンドル１８を通常の作動位置に復帰させることにより、上記切換を行うことができる。なお、上記実施の形態においては、座ベース１５に円筒状の開口部３１を形成し、座板部３２に上記開口部３１と同心状の断面円形状の突起部３３を設けたものを示したが、座ベース１５に突起部３３を設け、座板部３２に開口部３１を設けてもよい。
【００２２】
ところで、上記実施の形態のベビーカーにおいても従来のベビーカーと同様に、遠隔装置により図示しないロック部材を操作してブラケット２１のロックを解除することにより、背面・対面の双方どちらの状態からでも折り畳むことができる。
【００２３】
図５乃至図７は本発明の第２の実施の形態を示す図であって、前輪１１を有する左右一対の前脚１２、及び後輪１３を有する左右一対の後脚１４の上端がそれぞれ座ベース１５に枢着されている。左右の前脚１２及び左右の後脚１４はそれぞれ図示しない前側連結バー及び後側連結バーによって連結されている。上記座ベース１５の後端部は、ほぼＵ字状に屈曲されたハンドル１８から突設されたレバー４０の先端部に枢着されており、上記ハンドル１８の先端部に、各前脚１２の中間部に枢着された連結バー２０の後端、及び後脚１４に下端部が枢着されたブラケット２１の中間部が上記軸１９により枢着されている。上記ブラケット２１における軸１９側先端部には後脚１４を上記ハンドル１８にロックするロック部材４１と係合する切り欠き段部２１ａが設けられている。上記ロック部材４１はハンドル１８に摺動可能に装着されており、ハンドル１８に設けられた遠隔操作装置によって摺動操作されるようにしてある。
【００２４】
一方、前記座ベース１５の上部には、第１の実施の形態と同様にベビーシート３０が座ベース１５の上面と並行な平面内で回転可能に装着されている。
【００２５】
ところで、前記ハンドル１８は、図５及び図６に示すように、その下半部が後方に大きく後退するように屈曲されており、上記ベビーシート３０の回転時にそのベビーシート３０がハンドル１８に当たらないようにしてある。すなわち、上記ハンドル１８は、先端部で軸１９に枢着されている下半部が、ベビーカー本体の展開時に比較的小さい角度で後方に延び、上半部が上方に延びるように中間部で大きく屈曲され、上記ハンドル１８の上半部がベビーシート３０の回転範囲内に位置しないようにしてある。
【００２６】
図５は、乳幼児の背面から手押しする背面状態にベビーシート３０を位置させた状態を示す図であり、この状態から第１の実施の形態と同様にベビーシート３０を水平面内で１８０度回転してロックすることにより、図６に示すように、対面状態とすることができる。この場合、ハンドル１８の下半部が、上述のように後方に大きく後退するように屈曲され、上記ベビーシート３０の回転時にそのベビーシート３０がハンドル１８に当たらないようにしてあるので、背面状態から対面状態へ、或いは対面状態から背面状態への切換を容易に行うことができる。しかも、ハンドル１８を上述のように大きく屈曲させたものにおいても、座ベース１５の後端部をハンドル１８から突設されたレバー４０の先端部に枢着させることにより、従来のベビーカーと同様にロック部材４１とブラケット２１の切欠き段部２１ａとの係合を解除することによって、図７に示すように二つ折り状態に折り畳むこともできる。
【００２７】
図８は本発明の第３の実施の形態の概略構成を示す斜視図であり、座ベース１５には第１の実施の形態と同様にベビーシート３０の座板部３２が座ベース１５の上面と並行な平面内で回転可能に装着されている。上記座ベース１５には前輪１１を有する前脚１２及び後輪１３を有する後脚１４の上端部が枢着されている。上記後脚１４にはく字状のブラケット２１の一端部が枢着されており、前記前脚１２の中間部に枢着された連結バー２０の後端部が上記ブラケット２１の中間部に枢着されている。
【００２８】
上記ブラケット２１の先端部にはサブロックピン４２が横方向に突出されており、そのサブロックピン４２を座ベース１５に揺動可能に装着されたロックプレート４３の凹部４３ａに係合することにより、ベビーカー本体を使用可能な展開状態に維持し得るようにしてある。
【００２９】
前記ベビーシート３０の座板部３２の左右両側壁の下部にはそれぞれ左右に突出するメインロックピン４４が突設されており、そのメインロックピン４４に、ほぼＵ字状に屈曲されたハンドル１８の先端部がそのメインロックピン４４を中心として揺動可能に係合されている。図９は上記ハンドル１８取付部の拡大斜視図であり、上記ハンドル１８の先端部には、上記メインロックピン４４に係合可能な凹部を有するアームストッパー４５がハンドル１８に沿って摺動可能に装着されている。そのアームストッパー４５は図示しないスプリングにより下方に付勢されており、ハンドル１８に設けられた遠隔操作装置により上方に引き上げることができるようにしてある。また、前記座板部３２の左右両側壁３２ａの上部に形成されている各アームレスト４６の外側面には、その前部及び後部に係止突起２５ａ、２５ｂが設けられており、ハンドル１８が上記メインロックピン４４を中心として揺動したとき、上記ハンドル１８に摺動可能に装着されたチェンジフック２６が選択的に係合するようにしてある。
【００３０】
一方、前記ベビーシート３０の座板部３２左右両側壁３２ａにはそれぞれ第１及び第２の座ロックプレート４７ａ、４７ｂが互いに平行に且つ上下方向に移動可能に装着されており、その両座ロックプレート４７ａ、４７ｂはともに図示しないスプリングにより下方に付勢されている。一方、座ベース１５には、ベビーシート３０が背面状態のときにベビーカー本体の進行方向前側に位置する第１の座ロックプレート４７ａの下端部、或いはベビーシート３０が対面状態のときにベビーカー本体の進行方向前側に位置する第２の座ロックプレート４７ｂの下端部が係合する、例えば孔の如き係合部４８が形成されており、上記係合部４８に第１或いは第２の座ロックプレート４７ａ、４７ｂが係合することにより、ベビーシートの座板部３２が座ベース１５に対してロックされる。
【００３１】
上記第１の座ロックプレート４７ａの上部には第２の座ロックプレート４７ｂ方向に向かうガイド片４７ａ１が屈曲形成され、そのガイド片４７ａ１の先端部に斜め上方に傾斜した傾斜案内面４７ａ２ が設けられている。また、上記第２の座ロックプレート４７ｂの上部には第１の座ロックプレート４７ａ方向に向かうガイド片４７ｂ１が屈曲形成され、そのガイド片４７ｂ１の先端部に斜め上方に傾斜した傾斜案内面４７ｂ２ が設けられている。一方、ハンドル１８には、そのハンドル１８が直立状態に揺動したとき上記傾斜案内面４７ａ２ 或いは傾斜案内面４７ｂ２ に当接するガイドピン４９が突設されている。
【００３２】
しかして、図８に示す背面状態時において、ハンドル１８に設けられた遠隔操作装置によりチェンジフック２６を操作して係止突起２５ｂとの係合を解除し、ハンドル１８をメインロックピン４４を中心としてベビーカー本体の進行方向前側に揺動して、図１０に示すように、直立状態にすると、上記ガイドピン４９が第１の座ロックプレート４７ａの傾斜案内面４７ａ２ に当接し、上記傾斜案内面４７ａ２ により第１の座ロックプレート４７ａが上動されて係合部４８との係合が解除され、座板部３２のロックが解除される。したがって、ハンドル１８を持って座板部３２を１８０度回転させることにより、図１１に示すように、ベビーシートの座板部３２を対面状態にすることができる。そして、このように対面状態になると、第２の座ロックプレート４７ｂが座ベース１５の係合部４８に係合して座ベース１５がロックされる。そこで、ハンドル１８を再び元の状態、すなわちベビーカー本体の進行方向後側に揺動させて、座板部３２の回転によって後側に位置する係止突起２５ａにチェンジフック２６を係合させることにより、ベビーシート３０を対面状態の仕様とすることができる。
【００３３】
また、上記対面状態から背面状態に切り換える場合も、同様にハンドル１８を直立状態に揺動させると、ガイドピン４９が第２の座ロックプレート４７ｂの傾斜案内面４７ｂ２ に当接し、上記傾斜案内面４７ｂ２ により第１の座ロックプレート４７ｂが上動されて係合部４８との係合が解除される。したがって、その後ハンドル１８を持って座板部３２を１８０度回転することにより上記切り換えを簡単に行うことができる。
【００３４】
ところで、ハンドル１８の先端部に摺動可能に装着されているアームストッパー４５は、そのアームストッパー４５をハンドル１８に沿って上方に引き上げメインロックピン４４との係合を解除した後、進行方向後方側に位置している係止突起例えば２５ｂを中心としてハンドル１８を前方側に揺動させることにより、図１２に示すように、サブロックピン４２に係合させることができるようにしてある。
【００３５】
一方、前記ロックプレート４３は座ベース１５に対してその一端部が軸５０により枢着されるとともに、図１２に示すように上面に設けられた凹部４３ａがサブロックピン４２に係合する方向に付勢されており、その係合により前述のようにブラケット２１が座ベース１５に連結され、ベビーカー本体が使用可能な展開状態に維持されている。
【００３６】
ところで、前記座板部３２の両側壁３２ａにはそれぞれメインロックピン４４の左右に一対のガイド５１ａ、５１ｂがハ字状に取り付けられている。上記ガイド５１ａ、５１ｂはその頂端部が上記座板部３２の側壁３２ａに軸５２ａ、５２ｂにより枢着され、或る範囲内で揺動可能としてあり、図示しないばねにより先端が下方に付勢されている。また、前記アームストッパー４５には、ベビーカー本体の進行方向後側に位置しているガイド例えばガイド５１ｂに当接するピン５３が突設されている。
【００３７】
しかして、上記ベビーカーの折り畳み及び展開は次にようにして行う。
【００３８】
すなわち、上記折り畳み時には、例えば図８に示すような展開状態において、まずハンドル１８に設けた遠隔装置によりアームストッパー４５をハンドル１８に沿って上方に引き上げ、アームストッパー４５をメインロックピン４４から離脱してロック解除を行う。そして、ハンドル１８を係止突起２５ｂを中心として揺動した後、図１２に示すように上記アームストッパー４５をサブロックピン４２に係合する。そこで、ハンドル１８を係止突起２５ｂを中心として図１２においてさらに反時計方向に揺動させると、その揺動によってアームストッパー４５から突出されたピン５３がガイド５１ｂの下面側に当接し、そのガイド５１ｂによりピン５３を介してアームストッパー４５が２点鎖線で示すように押し下げられ、上記アームストッパー４５に設けられているフランジ５４によりロックプレート４３が軸５０を中心として下方に揺動され、上記ロックプレート４３によるサブロックピン４２のロックが解除される。それとともに、ハンドル１８に設けられたアームストッパー４５が係合しているサブロックピン４２がロックプレート４３から離脱方向に移動され、そのサブロックピン４２を介してブラケット２１が後脚１４との枢着点回りに回転され、従来のベビーカーと同様にしてベビーカーを折り畳み状態とすることができる。
【００３９】
一方、ベビーカー本体を展開状態とする場合には、従来と同様にして前脚、後脚及びハンドル１８の展開動作を行うと、サブロックピン４２がアームストッパー４５の先端凹部に係合するとともにロックプレート４３の凹部４３ａに係合する。そこで、ハンドル１８をさらに係止突起２５ｂを中心として展開方向に揺動すると、ガイド５１ｂが下方に付勢されているので、アームストッパー４５に突設されているピン５３が、図１３に示すように、上記ガイド５１ｂの上面側に当接し、上記ガイド５１ｂによりピン５３を介してアームストッパー４５が上方に移動されてサブロックピン４２との係合が解除される。そこで、上記ハンドル１８を正規操作位置に移動させて、図９に示すように、アームストッパー４５をメインロックピン４４に係合させる。
【００４０】
このように、第３の実施の形態においてはハンドル１８を直立状態にすることにより自動的に座板部３２のロックが解除され、そのハンドル１８を使用して座板部３２の回転を行うことができ、背面状態及び対面状態への切り換えを容易に行うことができる。しかも、サブロックピン４２とそのサブロックピン４２に係合するロックプレート４３等を設けることにより、背面・対面仕様のどちらの状態でも容易にベビーカー本体を折り畳むことができる。
【図面の簡単な説明】
【００４１】
【図１】本発明のベビーカーにおける第１の実施の形態を示す側面図。
【図２】図１に示すベビーカーの作動説明図。
【図３】座ベースと座板部との連結部一例を示す図。
【図４】座ベースに座板部をロックする座レバー部の平面図。
【図５】本発明のベビーカーにおける第２の実施の形態を示す側面図。
【図６】図５のベビーカーの作動説明図。
【図７】図５に示すベビーカーの折り畳み状態図。
【図８】本発明のベビーカーにおける第３の実施の形態を示す斜視図。
【図９】図８におけるハンドル取付部の拡大図。
【図１０】本発明の作動説明図。
【図１１】図９に示すベビーカーにおいてベビーシートを背面から対面状態に切り換えた状態を示す図。
【図１２】図９に示すベビーカーの折り畳み作動説明図。
【図１３】図９に示すベビーカーの折り畳み状態から展開状態への作動を説明する図。
【符号の説明】
【００４２】
１１  前輪
１２  前脚
１３  後輪
１４  後脚
１５  座ベース
１６  アームジョイント
１７  軸
１８  ハンドル
１９  軸
２１  ブラケット
２１ａ  切り欠き段部
２５、２５ａ、２５ｂ  係止突起
２６  チェンジフック
２７  ストッパ部
３０  ベビーシート
３１  開口部
３２  座板部
３３  突起部
３３ａ  フランジ
３４  ボール
３５  抜け出し防止リング
３７  座レバー
３８  ばね
３９  係合孔
４０  レバー
４１  ロック部材
４２  サブロックピン
４３  ロックプレート
４４  メインロックピン
４５  アームストッパー
４６  アームレスト
４７ａ  第１の座ロックプレート
４７ｂ  第２の座ロックプレート
４８  係合部
４９  ガイドピン
５０  軸
５１ａ、５１ｂ  ガイド
５３  ピン
５４  フランジ
【図１】
0004615199.tif 000002
【図２】
0004615199.tif 000003
【図３】
0004615199.tif 000004
【図４】
0004615199.tif 000005
【図５】
0004615199.tif 000006
【図６】
0004615199.tif 000007
【図７】
0004615199.tif 000008
【図８】
0004615199.tif 000009
【図９】
0004615199.tif 000010
【図１０】
0004615199.tif 000011
【図１１】
0004615199.tif 000012
【図１２】
0004615199.tif 000013
【図１３】
0004615199.tif 000014